(57)【要約】【課題】移動レンズ群の移動量を制約せずに、組込み時におけるレンズ群の調整作業の効率が良いレンズ鏡筒を提供する。【解決手段】第１レンズ群枠３１と第２レンズ群枠３２とを、光軸Ｏを中心として一体で回転することができるように足３１ｃと通孔３２ｂを用いて連結し、第１レンズ群枠３１と第１群筒１１とを、ネジ部１１ｂ，３１ｂにより螺合させ、かつ、第２レンズ群枠３２と第２群筒１２とを、ネジ部１１ｂ，３１ｂと同一ピッチのネジ部１２ｂ，３２ａにより螺合させ、第１レンズ群枠３１を光軸Ｏを中心として回転させる。【選択図】図３
2006215089.tif 000002
【特許請求の範囲】
【請求項１】
撮影光学系を形成する第１及び第２のレンズ群と、
前記第１のレンズ群を保持し、光軸を中心として回転することにより、前記第１のレンズ群を、前記光軸に沿った方向に移動させる調整部を有する第１のレンズ枠と、
前記第２のレンズ群を保持し、前記光軸を中心として回転することにより、前記第２のレンズ群を、前記光軸に沿った方向に移動させる調整部を有する第２のレンズ枠と、
前記第１のレンズ枠と前記第２のレンズ枠とを、前記光軸を中心として一体で回転できるように連結する連結部とを備え、
前記第１のレンズ枠を調整操作に基づいて回転させることにより、前記第１のレンズ群と前記第２のレンズ群が、前記第１のレンズ群と前記第２のレンズ群との間隔を維持した状態で、前記光軸に沿った方向に移動すること、
を特徴とするレンズ鏡筒。
【請求項２】
請求項１に記載のレンズ鏡筒において、
前記第１のレンズ枠を保持する第１の鏡筒部材と、
前記第２のレンズ枠を保持する第２の鏡筒部材と、
前記第１の鏡筒部材と前記第２の鏡筒部材を、前記光軸を中心として回転させることなく、前記光軸に沿った方向に、前記第１の鏡筒部材と前記第２の鏡筒部材をそれぞれ移動させる移動機構を備えること、
を特徴とするレンズ鏡筒。
【請求項３】
請求項１又は請求項２に記載のレンズ鏡筒において、
前記第１のレンズ枠は、前記光軸を中心とする円周上に、前記調整操作の入力部を備えること、
を特徴とするレンズ鏡筒。
【請求項４】
請求項３に記載のレンズ鏡筒において、
前記調整操作は、前記入力部に着脱可能な治具を接続して行うこと、
を特徴とするレンズ鏡筒。
【請求項５】
請求項１から請求項４までのいずれか１項に記載のレンズ鏡筒において、
前記撮影光学系は、焦点距離を変更する光学ズーム機構を備えること、
を特徴とするレンズ鏡筒。
【発明の詳細な説明】
【技術分野】
【０００１】
本発明は、レンズ群の調整機構を備えたレンズ鏡筒に関するものである。
【背景技術】
【０００２】
従来から、カメラのレンズ鏡筒は、その設計工程、製造工程等において、レンズ及びレンズ保持部材等の加工誤差等を調整するために、単焦点レンズにおいては、結像面にピント位置を合わせるための調整を行なっていた。また、ズームレンズにおいては、前述した調整に加え、ズーム動作にともなうピント位置の変化を防止するための調整を行なっていた。
【０００３】
その一例として、特許文献１には、ピント位置の調整を行なうために、フォロワーピン１３と鏡筒１０とを螺合させて、第２のレンズ群２０を第１のレンズ群９に対し光軸方向に前後させ、その後、リードスクリュー４を回転させ、第１のレンズ群９と第２のレンズ群２０とを共に光軸方向に前後させ固体撮像素子１７の受光面上にピントを合わせるズームレンズ鏡筒が開示されている。このズームレンズ鏡筒は、これらの調整工程を経て、ズーム動作にともなうピント位置の変化が解消する。
ところで、一般に、ズームレンズ鏡筒のカム機構は、そのリフト量が大きく取れる程、ズーム倍率を大きくすることができ、このリフト量は、円筒カムの直径が大きい程、確保しやすい。また、カムの傾斜角が大きいと、フォロワーピン１３とカム面との接触部での摩擦角が大きくなり、抵抗が増えて動作が困難になる。そのため、カムの傾斜角を最大４５°程度までにすることが望ましい。
【０００４】
しかし、特許文献１のズームレンズ鏡筒は、ズーム倍率を決定するカム機構がフェースカム７である。フェースカム７を用いているため、３６０°以上回転させることができず、また、最大リフト量は、フェースカム７の外周距離と内周距離との中間距離になる。カムの傾斜角を最大４５°以内にするという条件で、第１のレンズ群９に対する第２のレンズ群２０の移動量を大きくして、ズーム倍率を大きくするためには、フェースカム７の直径を大きくする必要がある。この場合、鏡筒外形が、大型になるという問題がある。
【特許文献１】特開平５−４０２１７号公報
【発明の開示】
【発明が解決しようとする課題】
【０００５】
本発明の課題は、移動レンズ群の移動量を制約せずに、組込み時におけるレンズ群の調整作業の効率が良いレンズ鏡筒を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、撮影光学系を形成する第１及び第２のレンズ群（Ｌ１，Ｌ２）と、前記第１のレンズ群（Ｌ１）を保持し、光軸（Ｏ）を中心として回転することにより、前記第１のレンズ群（Ｌ１）を、前記光軸（Ｏ）に沿った方向に移動させる調整部（１１ｂ，３１ｂ）を有する第１のレンズ枠（３１）と、前記第２のレンズ群（Ｌ２）を保持し、前記光軸（Ｏ）を中心として回転することにより、前記第２のレンズ群（Ｌ２）を、前記光軸（Ｏ）に沿った方向に移動させる調整部（１２ｂ，３２ａ）を有する第２のレンズ枠（３２）と、前記第１のレンズ枠（３１）と前記第２のレンズ枠（３２）とを、前記光軸（Ｏ）を中心として一体で回転できるように連結する連結部（３１ｃ，３２ｂ）とを備え、前記第１のレンズ枠（３１）を調整操作に基づいて回転させることにより、前記第１のレンズ群（Ｌ１）と前記第２のレンズ群（Ｌ２）が、前記第１のレンズ群（Ｌ１）と前記第２のレンズ群（Ｌ２）との間隔を維持した状態で、前記光軸（Ｏ）に沿った方向に移動すること、を特徴とするレンズ鏡筒である。
【０００７】
請求項２の発明は、請求項１に記載のレンズ鏡筒において、前記第１のレンズ枠（３１）を保持する第１の鏡筒部材（１１）と、前記第２のレンズ枠（３２）を保持する第２の鏡筒部材（１２）と、前記第１の鏡筒部材（１１）と前記第２の鏡筒部材（１２）を、前記光軸（Ｏ）を中心として回転させることなく、前記光軸（Ｏ）に沿った方向に、前記第１の鏡筒部材（１１）と前記第２の鏡筒部材（１２）をそれぞれ移動させる移動機構（９ｃ，９ｄ，２０等）を備えること、を特徴とするレンズ鏡筒である。
請求項３の発明は、請求項１又は請求項２に記載のレンズ鏡筒において、前記第１のレンズ枠（３１）は、前記光軸（Ｏ）を中心とする円周上に、前記調整操作の入力部（３１ａ）を備えること、を特徴とするレンズ鏡筒である。
請求項４の発明は、請求項３に記載のレンズ鏡筒において、前記調整操作は、前記入力部（３１ａ）に着脱可能な治具（３３）を接続して行うこと、を特徴とするレンズ鏡筒である。
請求項５の発明は、請求項１から請求項４までのいずれか１項に記載のレンズ鏡筒において、前記撮影光学系は、焦点距離を変更する光学ズーム機構を備えること、を特徴とするレンズ鏡筒である。
【発明の効果】
【０００８】
本発明によれば、以下の効果を奏することができる。
（１）本発明のレンズ鏡筒は、第１のレンズ枠と第２のレンズ枠とが、第１のレンズ群と第２のレンズ群をそれぞれ保持している。そして、第１のレンズ枠と第２のレンズ枠は、沈胴位置若しくは第１のレンズ群と第２群レンズ群が最接近した位置で、光軸を中心として一体で回転できるように連結部で連結されている。また、第１のレンズ枠と第２のレンズ枠は、調整操作に基づいて回転させることにより、第１のレンズ群と第２のレンズ群とが間隔を維持した状態で、光軸に沿った方向に移動することができるように調整部を備えている。これらにより、レンズ鏡筒の組み立て時等における調整作業で、２つのレンズ群を一体で移動をさせることができ、作業効率を良くすることができる。
【０００９】
（２）本発明のレンズ鏡筒は、第１のレンズ枠と第２のレンズ枠をそれぞれ保持する第１の鏡筒部材と第２の鏡筒部材を、光軸を中心として回転させることなく、光軸に沿った方向に移動させる移動機構を備えている。これにより、例えば、前述した（１）のレンズ鏡筒に移動機構としてカム筒等を用いることにより、第１のレンズ群と第２のレンズ群を光軸に沿った方向に移動させることができ、かつ、傾斜角が小さいカムで構成しその移動量も十分な量とすることができる。
（３）本発明のレンズ鏡筒は、第１のレンズ枠が、光軸を中心とする円周上に、調整操作の入力部を備えている。これにより、調整操作をレンズ鏡筒の外側から容易に行うことができ、作業効率を向上することができる。
（４）本発明のレンズ鏡筒は、入力部に着脱可能な治具を接続して調整操作が行われる。これにより、調整操作が必要のないときやレンズ鏡筒出荷時に治具を外すことにより、入力部の誤操作を防ぐことができる。
（５）本発明のレンズ鏡筒は、撮影光学系の焦点距離を変更できる光学ズーム機構を備えている。これにより、前述したレンズ鏡筒の製品価値を向上させることができる。
【発明を実施するための最良の形態】
【００１０】
本発明は、移動レンズ群の移動量を制約せずに、組込み時におけるレンズ群の調整作業の効率が良いレンズ鏡筒を提供するという目的を、第１レンズ群枠と第２レンズ群枠とを、光軸を中心として一体で回転することができるように連結部を用いて連結し、第１レンズ群枠と第１群筒とをネジ部により螺合させ、かつ、第２レンズ群枠と第２群筒とを前述したネジ部と同一ピッチのネジ部により螺合させ、第１レンズ群枠を光軸を中心として回転させるという方法によって実現した。
【実施例】
【００１１】
以下、図面等を参照して、本発明の実施例をあげてさらに詳しく説明する。
以下の説明においては、カメラの正位置撮影時を基準に上下、前後等を説明する。なお、正位置撮影時とは、対物レンズの光軸を水平方向に向け、横長の画像を撮影するときの状態をいうものとし、また、カメラ本体の対物レンズ側の面を前面とし、その反対側を背面とする。
図１は、本発明を適用した実施例のレンズ鏡筒を用いたカメラの正面図である。
本実施例のカメラは、その正面に、カメラ筐体１と、照明光発光部２と、ファインダ対物レンズ３と、第１レンズ群Ｌ１とを備え、また上側の面にシャッタレリーズボタン４を備えている。また、カメラ筐体１に、レンズ群を駆動させるギアユニット２２が収容されている（図１に、２点鎖線内に示す。）。
カメラ筐体１は、略直方体に形成されており、カメラを正面からみた場合には、横長の矩形状となっている。
第１レンズ群Ｌ１は、対物レンズであり、カメラ正面の中央よりも右下側に配置されている。
照明光発光部２は、被写体に当てる例えば閃光発光装置であり、矩形状をしており、第１レンズ群Ｌ１の上側に配置されている。
ファインダ対物レンズ３は、照明光発光部２の右側に配置されている。
シャッタレリーズボタン４は、被写体を撮影するときに押下げるボタンであり、カメラ上面の左側に配置されている。
【００１２】
図２は、本実施例によるレンズ鏡筒を用いたカメラの上面図である。
本実施例のカメラは、その上面に、カメラ筐体１と、ズームボタン５と、電源スイッチ６とを備えている。
【００１３】
ズームボタン５は、焦点距離を変更するズーム操作をするためのボタンで、望遠ボタン５ａと広角ボタン５ｂとを備えている。望遠ボタン５ａは、表面に「Ｔ」（望遠を意味する）広角ボタン５ｂは、「Ｗ」（広角を意味する）と刻印され、カメラ上面の左上に左側から順に設けられている。
本実施例のカメラは、広角ボタン５ｂを押下げることにより広角側に進み、押下げ続けることにより撮影光学系の焦点距離が最短である広角端となる。逆に、望遠ボタン５ａを押下げ続けることにより、撮影光学系の焦点距離が最長である望遠端となる。
電源スイッチ６は、カメラの電源の入切をするための円形のボタンであり、カメラ上面中央の上側の範囲に配置されている。
【００１４】
次に、本実施例によるレンズ鏡筒を用いたカメラの内部構造について説明する。
図３は、図１のＡ−Ａ部矢視断面を示す図であり、本実施例によるレンズ鏡筒が広角端におけるカメラの横断面を示している。
図３に示すように、本実施例のレンズ鏡筒を用いたカメラは、カメラ筐体１の内側に、第１レンズ群Ｌ１（第１のレンズ群）、第２レンズ群Ｌ２（第２のレンズ群）、第３レンズ群Ｌ３、第４レンズ群Ｌ４からなる撮影用レンズ群と、固定筒９と、第１群筒１１と、第２群筒１２と、第３群筒１３と、第４群筒１４と、ガイド軸１５と、フォーカスモータ１７と、ローパスフィルタ１８と、撮像素子１９と、カム筒２０と、ギアユニット２２と、ズームモータ２３と、第１レンズ群枠３１と、第２レンズ群枠３２とを収容している。また、図３においては、治具である工具３３を使用している状態を示している。
【００１５】
本実施例の撮影光学系は、図３に示すように、４群構成のレンズ群を備えており、光軸Ｏ上に、物体側から第１レンズ群Ｌ１、第２レンズ群Ｌ２、第３レンズ群Ｌ３、第４レンズ群Ｌ４、ローパスフィルタ１８、撮像素子１９が順に配置されている。
第１レンズ群Ｌ１、第２レンズ群Ｌ２、第３レンズ群Ｌ３は、撮影光学系の焦点距離の変化に応じて、光軸Ｏに沿った方向へ移動するズームレンズ群である。また、第４レンズ群Ｌ４は、光軸Ｏに沿った方向への移動によって、撮像素子１９の受光面に、撮影用レンズ群のピント位置を合わせるフォーカスレンズ群である。
【００１６】
固定筒９は、カメラの撮影光学系の全体を支持する円筒状の部材である。固定筒９は、大径の円筒部９Ｌと、その中心軸を同軸とし中心軸方向に連ねて配置した小径の円筒部９Ｓとが、カメラ前後方向にわたって延在している。円筒部９Ｌは、カメラ筐体１の前部に収納され、その先端部には、対物レンズである第１レンズ群Ｌ１を、その光軸Ｏを被写体に向けるように移動可能に収容し、これから像面側に、第２レンズ群Ｌ２、第３レンズ群Ｌ３の順に、それぞれ移動可能に収容している。同様に円筒部９Ｓは、カメラ筐体１の後部に収容され、第４レンズ群Ｌ４を移動可能に収容している。
【００１７】
円筒部９Ｌは、その外周に、後述するカム筒２０の光軸Ｏに沿った方向の位置決めをするためのカム筒押さえ部９ａ，９ｂを有している。カム筒押さえ部９ａ，９ｂは、円筒部９Ｌの先後端部の外周に、それぞれ設けられたフランジ状のつばである。
円筒部９Ｌは、その側面に、第１レンズ群Ｌ１を光軸Ｏに沿った方向にガイドする直進ガイド長穴９ｄが設けられている。直進ガイド長穴９ｄは、光軸Ｏに沿った方向に長い開口部であり、その長さは、第１レンズ群Ｌ１の移動範囲を満足するように設定されている。同様に、直進ガイド長穴９ｄの反対側の側面に、第２レンズ群Ｌ２、第３レンズ群Ｌ３をガイドする直進ガイド長穴９ｃが設けられている。
【００１８】
第１群筒１１（第１の鏡筒部材）は、第１レンズ群Ｌ１を収容するための、円筒状の直進筒あり、円筒部９Ｌの内側に光軸Ｏに沿った方向に移動可能に収容されている。第１群筒１１は、径方向外側に突き出すように、カムフォロワ１１ａを有しており、これが、固定筒９の円筒部９Ｌに設けられた直進ガイド長穴９ｄを貫通し、さらに、後述するカム筒２０に設けられたカム溝２０ａに挿入されている。これにより、第１群筒１１は、光軸Ｏ回りの回転止めと、光軸Ｏに沿った方向にガイドをされ、また、カム筒２０が光軸Ｏを中心として回転することにより、光軸Ｏに沿った方向に移動する。
第１群筒１１は、その内周面の光軸Ｏに沿った方向の略中央部全周に、径方向内側に向けて設けられたリブを有しており、そのリブの先端には、後述する第１レンズ群枠３１と螺合するためにネジ部１１ｂが設けられている。
第１群筒１１は、光軸Ｏと平行に工具穴１１ｃを有している。工具穴１１ｃは、後述する工具３３のガイドボス３３ｂを挿入するための貫通孔である。
【００１９】
同様に、第２群筒１２（第２の鏡筒部材）は、第２レンズ群Ｌ２を収容し、円筒部９Ｌの内側に収容された移動筒である。第２群筒１２は、径方向外側に突き出すようにカムフォロワ１２ａを有し、このカムフォロワ１２ａが、直進ガイド長穴９ｃを貫通し、カム筒２０に設けられたカム溝２０ｂに挿入されている。これにより、第２群筒１２は、光軸Ｏに沿った方向に移動可能とされる。また、第２群筒１２は、その内周の面に、後述する第２レンズ群枠３２と螺合するためのネジ部１２ｂが設けられている。
【００２０】
第３群筒１３は、第３レンズ群Ｌ３を保持し、円筒部９Ｌの内側に収容された移動筒である。第３群筒１３は、光軸Ｏに対して垂直なドーナツ板状をしており、その外周には、円筒部９Ｌの内周面と接するフランジ部１３ｃを有し、又、ドーナツ板の内周に第３レンズ群Ｌ３を保持する円筒部を有している。第３群筒１３は、第２群筒１２と同様に、カムフォロワ１３ａを有し、これが直進ガイド長穴９ｃを貫通し、後述するカム筒２０に設けられたカム溝２０ｃに挿入されている。これにより、第３群筒１３は、光軸Ｏに沿った方向に移動可能とされる。
また、第３群筒１３は、その物体側に絞り兼用シャッタ１３ｂを備えている。絞り兼用シャッタ１３ｂは、撮影時にシャッタレリーズボタン４を押下げることにより、シャッタ幕を閉じ、結像面に入射される光の量の加減や、被写界深度の調整をしている。
【００２１】
第４群筒１４は、第４レンズ群Ｌ４を保持し、円筒部９Ｓの内側に光軸Ｏに沿った方向に移動可能に収容された移動筒である。第４群筒１４は、その外周に、光軸Ｏと平行に通孔１４ａを有し、これに後述するガイド軸１５が挿入され、光軸Ｏに沿った方向にガイドされている。第４群筒１４は、その外周の通孔１４ａの反対側の範囲に、光軸Ｏと平行に雌ネジ部１４ｂを有しており、これに、後述するフォーカスモータ１７に設けられたリードスクリュウ１７ａが螺合している。
【００２２】
ガイド軸１５は、円筒部９Ｓの内側のカメラ左側の範囲に、光軸Ｏに平行に設けられている。ガイド軸１５は、その長さが、第４レンズ群Ｌ４の移動範囲を満足するように設定されている。
フォーカスモータ１７は、フォーカシング用のモータであり、その回転軸が光軸Ｏと平行になるように、固定筒９の円筒部９Ｓの後端部に固定されている。フォーカスモータ１７は、公知の自動焦点合わせ制御により駆動される。これにより、フォーカスモータ１７に設けられたリードスクリュウ１７ａが軸回りに回転し、第４群筒１４が第４レンズ群Ｌ４と一緒に、光軸Ｏに沿った方向に移動し、ピント調整がされる。
【００２３】
ローパスフィルタ１８は、高画素のデジタルカメラに見られる偽色や色モアレを防ぐための光学フィルタであり、第４レンズ群Ｌ４よりも結像面側に配置され、円筒部９Ｓに固定されている。
撮像素子１９は、各レンズ群によって結像された被写体像を電気信号に変換するものであり、例えばＣＣＤ、ＣＭＯＳ等の光−電子変換素子が用いられている。撮像素子１９は、円筒部９Ｓの後端に固定されている。
【００２４】
カム筒２０は、第１レンズ群Ｌ１、第２レンズ群Ｌ２、第３レンズ群Ｌ３を移動させる回転筒である。カム筒２０は、固定筒９の円筒部９Ｌの外周を囲むようにして、カム筒押さえ部９ａ，９ｂの間に配置され、光軸Ｏを中心に回転可能に支持されている。カム筒２０は、内周の面にカム溝２０ａ，２０ｂ，２０ｃを有しており、これらに第１群筒１１のカムフォロワ１１ａ、第２群筒１２のカムフォロワ１２ａ、第３群筒１３のカムフォロワ１３ａがそれぞれ係合している。カム筒２０は、光軸Ｏを中心として回転することにより、第１群筒１１、第２群筒１２、第３群筒１３と、これらに収容された第１レンズ群Ｌ１、第２レンズ群Ｌ２、第３レンズ群Ｌ３を光軸Ｏに沿った方向に移動させる。
【００２５】
ギアユニット２２は、後述するズームモータ２３の駆動力を、カム筒２０に伝達するギア列である。ギアユニット２２は、段ギア２２ａ，２２ｂ、アイドルギア２２ｃから形成され、カム筒２０の外側に配置されている。各ギアは、その回転軸が、カメラ前後方向になるように配置され、後述するズームモータ２３に設けられたギア２３ａから順に段ギア２２ａ，２２ｂ、アイドルギア２２ｃと噛合っている。そして、アイドルギア２２ｃは、カム筒２０のギア部２０ｄと噛合っている。
ズームモータ２３は、ズームレンズ群（第１レンズ群Ｌ１、第２レンズ群Ｌ２、第３レンズ群Ｌ３）を移動させるモータユニットであり、その回転軸が光軸Ｏと平行になるように配置されている。ズームモータ２３は、その回転軸にギア２３ａが設けられ、これがカメラ前方に向くように配置されている。
【００２６】
第１レンズ群枠３１（第１のレンズ枠）は、第１レンズ群Ｌ１を保持する円筒形の枠体であり、第１群筒１１の内側に配置されている。第１レンズ群枠３１は、カメラ前方側の先端にフランジ部を有しており、その外周にギア部３１ａ（入力部）が設けられている。第１レンズ群枠３１は、このギア部３１ａが後述する工具３３のギア部３３ａと噛合うことにより、光軸Ｏ回りに回転される。
第１レンズ群枠３１は、外周に雄ネジであるネジ部３１ｂを有している。第１レンズ群枠３１と第１群筒１１とは、ネジ部３１ｂとネジ部１１ｂによって螺合している。これにより、第１レンズ群枠３１は、光軸Ｏ回りの回転を加えられることにより、光軸Ｏに沿った方向に移動可能とされる。
また、第１レンズ群枠３１は、カメラ後方に向かって植立した足３１ｃ（連結部）が、左右にそれぞれ設けられている。第１レンズ群枠３１は、この足３１ｃを用いて、後述する第２レンズ群枠３２と連結される。
【００２７】
第２レンズ群枠３２（第２のレンズ枠）は、第２レンズ群Ｌ２を保持する円筒形の枠体であり、第２群筒１２の内側に設けられている。第２レンズ群枠３２は、その外周に雄ネジであるネジ部３２ａを有している。第２レンズ群枠３２と第２群筒１２とは、ネジ部３２ａとネジ部１２ｂによって螺合している。第２レンズ群枠３２は、光軸Ｏ回りの回転を加えられることにより、光軸Ｏに沿った方向に移動可能とされる。なお、ネジ部３２ａとネジ部１２ｂのピッチは、前述したネジ部３１ｂとネジ部１１ｂのピッチと等しく設定されているので、第１レンズ群枠３１と第２レンズ群枠３２は、同一角度、光軸Ｏ回りに回転されると、同一量、光軸Ｏに沿った方向に移動する。
また、第２レンズ群枠３２は、足３１ｃが挿入される通孔３２ｂ（連結部）が、左右にそれぞれ設けられている。これにより、第１レンズ群枠３１と第２レンズ群枠３２は、光軸Ｏ回りに、一体で回転可能とされる。
【００２８】
工具３３は、第１レンズ群枠３１を回転させるための、着脱可能な治具である。工具３３は、光軸Ｏと平行な軸体と、その後方に設けられたギア部３１ａと、さらに後方に設けられた軸体と同心のガイドボス３３ｂから形成されている。工具３３を使用するときには、ガイドボス３３ｂを第１群筒１１に設けられた工具穴１１ｃに挿入し、また、ギア部３３ａを第１レンズ群枠３１のギア部３１ａと噛合わせ、軸回り（図３に回転方向Ｍ，Ｎで示す。）に回転させる。これにより、工具３３は、第１レンズ群枠３１を光軸Ｏを中心として回転させる。
【００２９】
次に、以上説明したカメラの動作について説明する。
図４は、本実施例のレンズ鏡筒を用いたカメラの横断面を示す図である。図４（ａ）は、沈胴時の状態、図４（ｂ）は、望遠端の状態を示す図である。
本実施例のレンズ鏡筒を用いたカメラは、撮影状態にあるときに、電源スイッチ６を押下げることにより、沈胴状態となり、また、前述したように、ズームボタン５の望遠ボタン５ａを操作することにより、望遠端の状態となる。
沈胴時の状態では、図４（ａ）に示すように、第１レンズ群Ｌ１は、カメラ筐体１に収容され、第２レンズ群Ｌ２、第３レンズ群Ｌ３は、最も像面側に配置される。
望遠端の状態では、図４（ｂ）に示すように、第１レンズ群Ｌ１は、カメラ筐体１から繰り出され、第２レンズ群Ｌ２、第３レンズ群Ｌ３は、最も物体側に配置される。
【００３０】
カメラを撮影状態（例えば、広角端を示す図３の状態）から沈胴状態にさせる場合は、電源スイッチ６を押下げることにより、制御部（図示せず）が、ズームモータ２３を駆動するように命令する。ズームモータ２３の駆動力は、ギア２３ａ、ギアユニット２２を介して、カム筒２０に伝達され、カム筒２０が光軸Ｏを中心に回転する。このとき、ズームモータ２３の回転は、段ギア２２ａ，２２ｂにより減速される。カム筒２０は、第１群筒１１、第２群筒１２、第３群筒１３とカム結合している。そのため、第１群筒１１、第２群筒１２、第３群筒１３は、第１レンズ群Ｌ１、第２レンズ群Ｌ２、第３レンズ群Ｌ３と一緒に、それぞれカム溝２０ａ，２０ｂ，２０ｃのカム軌跡に従って、光軸Ｏに沿った方向に、光軸Ｏを中心として回転することなく、像面側に移動する。そして、カメラは、沈胴状態（図４（ａ）の状態）となり、電源がＯＦＦとされる。
同様にして、カメラは、撮影時に、ズームボタン５を操作することにより、望遠端（図４（ｂ））の状態、又は、広角端（図３）の状態とされる。
【００３１】
図５は、本実施例によるレンズ鏡筒の、各レンズ群の配置を模式的に示す図であり、図５（ａ）は、広角端、図５（ｂ）は、望遠端の状態を示す図である。
一般にズームレンズは、構成レンズ及び第１群筒１１、第２群筒１２、第３群筒１３等の形状誤差、組み立て時における間隔誤差等により光線３４ａ，３４ｂで示すように、無限遠の結像面位置が望遠端、広角端で違った位置になることがある。この状態では、望遠端〜広角端にかけて無限遠の像を結像面に、ピントが合った状態で結像させることができない。そこで、本実施例のレンズ鏡筒を用いたカメラは、以下のようにしてこの問題を解決する。
【００３２】
本実施例によるレンズ鏡筒の光学系の場合、第１レンズ群Ｌ１と第２レンズ群Ｌ２のレンズ位置Ｌ１´，Ｌ２´（図５に２点鎖線で示す。）から一体で、距離δだけ光軸Ｏに沿った方向に、物体側に移動させると、光線３４ｃ，３４ｄで示すように、望遠端〜広角端にかけて無限遠の像をピントが合った状態で結像させることができる。この調整を振り分け調整と呼ぶ。振り分け調整によって、望遠端〜広角端にかけて無限遠の像のピント位置の変動が無くなった後、レンズ群全体を光軸Ｏに沿った方向へ移動させ、撮像素子１９の受光面にピント位置を合わせる作業を行う。なお、本実施例においては、レンズ群全体の移動と同じ効果を得るため、撮像素子１９を移動させる。
本実施例では、最初に、振り分け調整をするため、広角端と望遠端のピント位置のズレを測定し、距離δを計算する。そして、第１レンズ群Ｌ１と第２レンズ群Ｌ２とを、一体で光軸Ｏに沿った方向へ距離δ、移動させる作業を行う。
【００３３】
これを実現させるため、本実施例によるレンズ鏡筒は、撮影時に第１レンズ群Ｌ１と第２レンズ群Ｌ２との間隔が最も小さくなる広角端の状態で、第１レンズ群枠３１に設けられた足３１ｃが、第２レンズ群枠３２の通孔３２ｂに挿入されるように設定されている（図３参照）。そして、第１群筒１１に設けられた工具穴１１ｃに工具３３のガイドボス３３ｂを挿入し、工具３３のギア部３３ａを第１レンズ群枠３１の外周に形成されたギア３１ａに噛合わせ、工具３３を軸回りに回転させる。これにより、第１レンズ群枠３１と第２レンズ群枠３２とを一体で光軸Ｏを中心として回転させる。第１レンズ群枠３１と第１群筒１１の螺合部のピッチと、第２レンズ群枠３２と第２群筒１２の螺合部のピッチは、同一ピッチに設定されているので、第１レンズ群Ｌ１と第２レンズ群Ｌ２は、間隔を維持した状態で、光軸Ｏに沿った方向に一体で前後する（図３に第１レンズ群Ｌ１と第２レンズ群Ｌ２の移動範囲を２点鎖線で示す。）。第１レンズ群Ｌ１と第２レンズ群Ｌ２を、距離δ移動（振り分け調整）した後、レンズ群全体を光軸Ｏに沿った方向に移動させるのと同じ効果を得るため、撮像素子１９よりも物体側に配置されたワッシャ３５の厚みを変えて、ピント位置を調整する。以上で、調整作業が終了する。
【００３４】
以上説明したように、本実施例のレンズ鏡筒は、第１レンズ群枠３１（第１のレンズ枠）と第２レンズ群枠３２（第２のレンズ枠）とが、光軸Ｏを中心として一体で回転することができるように足３１ｃ（連結部）と通孔３２ｂ（連結部）を用いて連結される。第１レンズ群枠３１と第１群筒１１とは、ネジ部１１ｂ，３１ｂ（調整部）により螺合し、かつ、第２レンズ群枠３２と第２群筒１２とは、ネジ部１１ｂ，３１ｂと同一ピッチのネジ部１２ｂ，３２ａ（調整部）により螺合している。そのため、第１レンズ群枠３１を調整操作に基づいて、光軸Ｏを中心として回転させることにより、第１レンズ群Ｌ１（第１のレンズ群）と第２レンズ群Ｌ２（第２のレンズ群）は、その間隔を維持した状態で、光軸Ｏに沿った方向に移動することができる。
これらにより、レンズ鏡筒の組み立て時等において、振り分け調整による調整作業が容易にでき、作業効率を向上することができる。
【００３５】
また、上記調整操作は、第１レンズ群枠３１の光軸Ｏを中心とする円周上に設けられたギア部３１ａ（入力部）に、着脱可能な工具３３を接続して回転することにより行われる。これにより、調整操作をレンズ鏡筒の外側から容易に行うことができ、作業効率を向上できると同時に、調整操作の必要がないときやレンズ鏡筒出荷時に工具３３を取り外すことにより、第１レンズ群枠３１を誤って回転させることを防ぐことができる。
【００３６】
さらに、本実施例によるレンズ鏡筒は、第１群筒１１（第１の鏡筒部材）と第２群筒１２（第２の鏡筒部材）を、光軸Ｏに沿った方向に移動させるために、カム筒２０、直進ガイド長穴９ｃ，９ｄ等（移動機構）を備えている。そのため、第１レンズ群Ｌ１、第２レンズ群Ｌ２の、ズーミングの際の移動量を十分な量とすることができ、高いズーム比を得ることができる。
【００３７】
（変形例）
以上説明した実施例に限定されることなく、種々の変形や変更が可能であって、それらも本発明の均等の範囲内である。
（１）本実施例において、レンズ鏡筒は、光学ズーム機構を備え、振り分け調整のためにレンズ群を移動させる例を示したが、これに限定されない。例えば、単焦点の撮影光学系を用いたレンズ鏡筒の組み立て時に、各調整のために第１レンズ群と第２レンズ群を光軸Ｏに沿った方向に一体で移動可能とし、作業効率を向上させてもよい。
【００３８】
（２）本実施例において、光軸Ｏに沿った方向に、一体で移動するレンズ群は、第１レンズ群Ｌ１、第２レンズ群Ｌ２の２つである例を示したが、これに限らず、３つ以上のレンズを一体で移動させてもよい。例えば、第２レンズ群Ｌ２よりも像面側に、新たに第５レンズ群を配置し、これに第２群筒１２と同様な構造を採用した第５群筒Ｌ５を設け、また、第１レンズ群枠３１に設けた足３１ｃを本実施例よりも長く設定し、レンズ調整時に第１レンズ群Ｌ１、第２レンズ群Ｌ２、第５レンズ群Ｌ５を連結し、光軸Ｏを中心に一体で回転させることにより、光軸Ｏに沿った方向に移動させてもよい。これにより、第１レンズ群Ｌ１と第２レンズ群Ｌ２、及び、第１レンズ群Ｌ１と第５レンズ群Ｌ５は、それぞれ間隔を維持した状態で移動することができ、各調整作業の効率を向上させることができる。
【図面の簡単な説明】
【００３９】
【図１】本実施例によるレンズ鏡筒を用いたカメラの正面図である。
【図２】本実施例によるレンズ鏡筒を用いたカメラを上面図である。
【図３】図１のＡ−Ａ部矢視断面図である。
【図４】本実施例によるレンズ鏡筒を用いたカメラの横断面図である。
【図５】本実施例によるレンズ鏡筒の各レンズ群の配置を示す図である。
【符号の説明】
【００４０】
１    カメラ筐体
２    照明光発光部
３    ファインダ対物レンズ
４    シャッタレリーズボタン
５    ズームボタン
５ａ    望遠ボタン
５ｂ    広角ボタン
６    電源スイッチ
９    固定筒
９ｃ，９ｄ    直進ガイド長穴
９Ｌ，９Ｓ    円筒部
１１    第１群筒
１１ａ，１２ａ，１３ａ    カムフォロワ
１１ｂ，１２ｂ    ネジ部
１１ｃ    工具穴
１２    第２群筒
１３    第３群筒
１３ｂ    絞り兼用シャッタ
１４    第４群筒
１５    ガイド軸
１７    フォーカスモータ
１７ａ    リードスクリユウ
１８    ローパスフィルタ
１９    撮像素子
２０    カム筒
２０ａ，２０ｂ，２０ｃ    カム溝
２０ｄ    ギア部
２２    ギアユニット
２２ａ，２２ｂ    段ギア
２２ｃ    アイドルギア
２３    ズームモータ
３１    第１レンズ群枠
３１ａ    ギア部
３１ｂ    ネジ部
３１ｃ    足
３２    第２レンズ群枠
３２ａ    ネジ部
３２ｂ    通孔
３３    工具
３３ａ    ギア部
３３ｂ    ガイドボス
３４ａ，３４ｂ，３４ｃ，３４ｄ    光線
３５    ワッシャ
Ｌ１    第１レンズ群
Ｌ２    第２レンズ群
Ｌ３    第３レンズ群
Ｌ４    第４レンズ群
Ｏ    光軸
【図１】
2006215089.tif 000003
【図２】
2006215089.tif 000004
【図３】
2006215089.tif 000005
【図４】
2006215089.tif 000006
【図５】
2006215089.tif 000007